(57)【要約】【課題】  建築工事において、床面等の施工後に養生シートを被せて固定するために使用するに適した粘着テープであって、養生シートをうまく固定することができるとともに、これを剥すときに粘着剤が床面に残りにくい粘着テープを提供すること。【解決手段】  通気性を有する基布に粘着剤を含浸して乾燥した粘着テープ。この粘着テープの片面には、離型処理したフィルムを貼り付けておくのが好ましい。この場合、片面だけに離型処理したシートを、その離型処理していない面を基布側に接着させて一体化しておくこともできる。【選択図】      図１
2006182982.tif 000002
【特許請求の範囲】
【請求項１】
通気性を有する基布に粘着剤を含浸して乾燥したことを特徴とする粘着テープ。
【請求項２】
片面に離型処理したフィルムを貼り付けてなる請求項１に記載の粘着テープ。
【請求項３】
片面だけに離型処理したシートを、その離型処理していない面を基布側に接着させて一体化してなる請求項２に記載の粘着テープ。
【発明の詳細な説明】
【技術分野】
【０００１】
本発明は、建築工事において、床面等の施工後に養生シートを被せて固定するために使用するに適した粘着テープに関するものである。
【背景技術】
【０００２】
建築工事で床面を仕上げたときは、当該床面に瑕がつかないように、合成樹脂等のシート（養生シート）を被せておくのが一般的である。この養生シートは、単に被せただけでは不安定であるので、何らかの方法でずれないように固定しておく必要がある。
【０００３】
従来、養生シートの固定には、両面粘着テープを使用することが多かった。この固定方法は、床面の適所に両面粘着テープを貼り付け、その上から養生シートを被せる方法である。このような養生シートの固定法としては、例えば特許文献１、特許文献２、特許文献３に開示されているようなものがある。
【０００４】
【特許文献１】特開平９−１８８８５４号公報
【特許文献２】特開２０００−１８６４２７号公報
【特許文献１】特開２００１−２９４８２２号公報
【発明の開示】
【発明が解決しようとする課題】
【０００５】
しかしながら、上記従来の粘着テープを用いる方法では、工事が完了して養生シートを剥すとき、粘着テープの粘着剤が床面に付着した状態で残留するという問題点があった。完成した新しい床面に粘着剤が付着残留すると、床面に凹凸ができ、美観上も問題となるので、これを丁寧に除去する必要があるが、床面を傷つけないように粘着剤を除去するのは難しく、手間と時間を要していた。
【０００６】
そこで、本発明は、上記従来の粘着テープの問題点を改良し、養生シートをうまく固定することができるとともに、これを剥すときに粘着剤が床面に残りにくい粘着テープを提供することを課題としている。
【課題を解決するための手段】
【０００７】
上記課題を解決するため、本発明は次のような構成を採用した。すなわち、請求項１に記載の本発明にかかる粘着テープは、通気性を有する基布に粘着剤を含浸して乾燥したことを特徴としている。また、請求項２に記載の粘着テープは、上記請求項１に記載の粘着テープの片面に離型処理したフィルムを貼り付けている。さらに請求項３に記載の粘着テープは、片面だけに離型処理したシートを、該離型処理していない面を基布側に接着させて一体化している。
【発明の効果】
【０００８】
この粘着テープは、従来のように、基布の表面に粘着剤を塗工したものではなく、通気性を有する基布自体に粘着剤を含浸したものであるから、基布の表面に粘着剤が多量に存在することがなく、一応の粘着性は備えているが、剥したときに粘着剤が相手側に残留しにくい。このため、養生シートの固定に使用した場合に、新しい床面を粘着剤で汚さずにすむ。この粘着テープの一方の表面に、請求項２又は３に記載のように、離型処理したフィルムを貼り付けておけば、ロール状に巻いたときに粘着面同士が接着することが防止できるので好ましい。
【発明を実施するための最良の形態】
【０００９】
以下本発明の実施形態について、具体的に説明する。図１は、本発明に係る粘着テープの１例として、両面に粘着面を有する粘着テープを例示するもので、この粘着テープ１は、基布２に粘着剤３を含浸してなる。粘着テープ１の片面には、両面に離型処理４ａしたフィルム４が貼着されている。このフィルム４は、両面に離型処理されているが、基布２表面に滲出した粘着剤３によって、自然に剥れない程度に粘着保持されている。
【００１０】
基布は通気性（厳密には含浸性）を有するシート材であり、紙、布、不織布等を使用することができる。要は、適度の強度を有し、かつ粘着剤を含浸させることができるものであればよい。具体的には、例えば、ポリエステルの不織布（目付２０／ｍ2 程度）を使用するのが好ましい。
【００１１】
粘着剤３の材質は、粘着テープ用の粘着剤として従来使用されているものを使用することができる。ただし、含浸のため、エマルジョンタイプのもので、増粘剤を添加していないものを使用する。例えば、水で溶いた６０％程度のアクリル系粘着剤を含浸用のエマルジョンとして使用することができる。
【００１２】
なお、離型処理したフィルム４としては、例えばポリエチレンフィルム、ポリプロピレンフィルム、ポリエステルフィルム、紙その他を使用することができる。このフィルム４は、粘着テープの使用時には剥されるもので、粘着テープの粘着面同士が接着しないように保護でき、必要に応じて簡単に剥すことができるものであればよい。
【００１３】
次に、図２は、上記と若干異なる粘着テープを例示するもので、この粘着テープ１’は、片面にのみ粘着面を有する片面粘着テープとして構成されている。基布２、粘着剤３等は上記図１の両面粘着テープ１と同じでよいが、この片面粘着テープ１’は、一方の面に離型処理したフィルム５が接着一体化している。このフィルム５は、外面側に離型処理５ａが施されているが、基布２側の面すなわち裏面には離型処理が施されていないので、粘着剤３を含浸した基布に接触させると、該基布側の粘着剤によって接着一体化され、使用時にもフィルム５は剥されず、接着したままである。このため、この片面粘着テープ１’は、従来の片面粘着テープと同様に、片面だけを利用する用途に使用される。
【００１４】
図３は、この粘着テープの製造方法を表すもので、所定幅の基布２を巻いた基布ロール２０から繰り出された基布２が粘着剤を溜めた含浸槽２１に導かれ、該含浸槽中の粘着剤（エマルジョン）が含浸されるとともに、ロール２２，２２によって挟圧されて余分な粘着剤が除去される。含浸後の基布２は、乾燥質２５内に導かれ、移動しつつ空気乾燥される。乾燥された含浸後の基布すなわち粘着テープ１の片面側には、離型フィルム４又は５が重ねられつつ巻き取られて粘着テープロール３０となる。上記の如く、両面粘着テープ１とする場合は、フィルムは両面に離型処理を施したフィルム（離型紙、離型フィルム、エンボスフィルム等）であり、片面粘着テープ１’とする場合は、片面のみに離型処理を施したフィルム（ポリラミネート紙、フィルム等）である。
【００１５】
この粘着テープ１，１’は、基布の表面に粘着剤が塗工されているわけではなく、多孔質の基布に粘着剤が含浸されているものであるから、表面の粘着剤の量が比較的少ない。このため、一応の粘着力は有するものの、剥しやすく、剥したときに粘着剤が相手側に残りにくい。
【００１６】
例えば上記両面粘着テープ１を養生シートの固定用に使用する場合は、ロールから引き出した粘着テープを適当な長さに切断し、表面の離型フィルム４を剥して、下面側の粘着剤で床の適所に貼り付ける。この上から養生シートを被せると、上面側の粘着剤によって当該養生シートが粘着保持される。このため、養生シートがずれない。
【００１７】
養生が終わって、養生シートを剥すときは、粘着テープ１の粘着力が比較的弱いため、簡単に剥すことができる。また、床面に付着している粘着テープを剥すときも、比較的簡単に引き剥すことができ、しかも床面に粘着剤が残留しにくい。仮に粘着剤が床面に残留したとしても、微量であるから、簡単に清掃除去することができる。
【産業上の利用可能性】
【００１８】
以上の説明から明らかなように、本発明に係る粘着テープは、工業生産的に比較的簡単に製造できるもので、建築工事における養生シートの固定等に有効に使用することができる。この粘着テープを、引き剥しが簡単であることを必要とする他の用途に使用することができることは明らかである。
【図面の簡単な説明】
【００１９】
【図１】両面粘着テープの断面図である。
【図２】片面粘着テープの断面図である。
【図３】製造方法の説明図である。
【符号の説明】
【００２０】
１，１’      粘着テープ
２            基布
３            粘着剤
４            離型フィルム
５            離型フィルム
【図１】
2006182982.tif 000003
【図２】
2006182982.tif 000004
【図３】
2006182982.tif 000005